(57)【特許請求の範囲】
【請求項１】
連続紙に印刷する画像形成方法において、
予約されている複数のジョブを印刷する際に、１つのジョブが終了した時点で印刷を一時停止し、
前記連続紙を巻き取る側の巻き取り可能容量が次のジョブに要する用紙長に足りない場合に、前記巻き取り可能容量が足りないことを警告する警告画面を表示することを特徴とする画像形成方法。
【請求項２】
前記連続紙の給紙残量をチェックし、前記給紙残量または前記巻き取り可能容量の両方またはいずれかが足りない場合に、前記給紙残量または前記巻き取り可能容量の両方またはいずれかが足りないことを警告する警告画面を表示することを特徴とする請求項１に記載の画像形成方法。
【請求項３】
前記給紙残量または前記巻き取り可能容量の両方またはいずれかが足りない場合に、前記給紙残量および前記巻き取り可能容量の両方を満たすことのできるジョブの候補を示す候補画面を表示することを特徴とする請求項２に記載の画像形成方法。
【請求項４】
連続紙を給紙する給紙部、連続紙に印刷する画像形成装置、印刷後の連続紙を巻き取る巻き取り部を有する画像形成システムにおいて、
前記画像形成装置は、予約されている複数のジョブを印刷する際に、１つのジョブが終了した時点で印刷を一時停止し、
前記連続紙を巻き取る側の巻き取り可能容量が次のジョブに要する用紙長に足りない場合に、前記巻き取り可能容量が足りないことを警告する警告画面を表示することを特徴とする画像形成システム。
【請求項５】
前記連続紙の給紙残量をチェックして、前記給紙残量または前記巻き取り可能容量の両方またはいずれかが足りない場合に、前記給紙残量または前記巻き取り可能容量の両方またはいずれかが足りないことを警告する警告画面を表示することを特徴とする請求項４に記載の画像形成システム。
【請求項６】
前記給紙残量または巻き取り可能容量の両方またはいずれかが足りない場合に、前記給紙残量および前記巻き取り可能容量の両方を満たすことのできるジョブの候補を示す候補画面を表示することを特徴とする請求項５に記載の画像形成システム。
【発明の詳細な説明】
【技術分野】
【０００１】
本発明は、画像形成方法および画像形成システムに関する。
【背景技術】
【０００２】
画像形成システムの中には、たとえばロール紙などの連続紙に印刷する技術がある。この連続紙を用いる画像形成システムは、連続紙を送り出す給紙装置と、給紙装置から送られて来た連続紙に印刷を行う画像形成装置と、印刷後の連続紙を再び巻き取る巻き取り装置を有している（たとえば、特許文献１）。このような連続紙を用いた画像形成システムの最大の特徴は途切れることなく連続して印刷動作が行えることである。
【０００３】
一方、カット用紙を用いる画像形成装置は、印刷後に排出された用紙を溜め置く排紙トレイが備えられていて、この排紙トレイがいっぱいになった場合に印刷を一時停止するものがある（特許文献２）
【先行技術文献】
【特許文献】
【０００４】
【特許文献１】特開２００７-１６８３２２号公報
【特許文献２】特開２００８-１８９４７１号公報
【発明の概要】
【発明が解決しようとする課題】
【０００５】
従来技術においては、以下のような問題点がある。
【０００６】
第１に連続紙を用いた画像形成においても、巻き取り装置側がいっぱいになってしまう場合がある。そのような場合に従来技術を用いると、１つのジョブを印刷している途中で印刷動作が止まってしまい、巻き取った用紙を交換する必要がある。そうすると１つのジョブが異なる巻き取りになる。特にロール紙においては１つのジョブが２つのロールになってしまい、この１つのジョブに対して後処理を行うにも２つのロールにそれぞれ実施しなければならない。このため連続して後処理することができなくなってしまう。
【０００７】
第２に従来技術のように巻き取り装置がいっぱいになるまで連続して印刷を続けた場合、ユーザーが認識していないにもかかわらず、複数のジョブが１つに巻き取られてしまうことになる。特にロール紙においては、巻き取り装置側で複数のジョブが１ロールになってしまうため、ジョブとジョブの区切りがわからず、巻き取り後に複数のジョブを仕分けることが困難になる。また、複数のジョブの最後のジョブにおいては上記第１の問題点と同様に、ジョブの途中で巻き取りがいっぱいになって複数の巻き取りにまたがってしまうこともある。
【０００８】
そこで、本発明の目的は、連続紙を使用した画像形成において、１ジョブが複数の巻き取りにならないようにでき、また複数のジョブがユーザーの認識なしに巻き取られてしまうことを防止することのできる画像形成方法および画像形成システムを提供することである。
【課題を解決するための手段】
【０００９】
本発明の上記目的は、下記の手段によって達成される。
【００１０】
（１）連続紙に印刷する画像形成方法において、
予約されている複数のジョブを印刷する際に、１つのジョブが終了した時点で印刷を一時停止し、
前記連続紙を巻き取る側の巻き取り可能容量が次のジョブに要する用紙長に足りない場合に、前記巻き取り可能容量が足りないことを警告する警告画面を表示することを特徴とする画像形成方法。
【００１２】
（２）前記連続紙の給紙残量をチェックし、前記給紙残量または前記巻き取り可能容量の両方またはいずれかが足りない場合に、前記給紙残量または前記巻き取り可能容量の両方またはいずれかが足りないことを警告する警告画面を表示することを特徴とする（１）に記載の画像形成方法。
【００１３】
（３）前記給紙残量または前記巻き取り可能容量の両方またはいずれかが足りない場合に、前記給紙残量および前記巻き取り可能容量の両方を満たすことのできるジョブの候補を示す候補画面を表示することを特徴とする（２）に記載の画像形成方法。
【００１４】
（４）連続紙を給紙する給紙部、連続紙に印刷する画像形成装置、印刷後の連続紙を巻き取る巻き取り部を有する画像形成システムにおいて、
前記画像形成装置は、予約されている複数のジョブを印刷する際に、１つのジョブが終了した時点で印刷を一時停止し、
前記連続紙を巻き取る側の巻き取り可能容量が次のジョブに要する用紙長に足りない場合に、前記巻き取り可能容量が足りないことを警告する警告画面を表示することを特徴とする画像形成システム。
【００１６】
（５）前記連続紙の給紙残量をチェックして、前記給紙残量または前記巻き取り可能容量の両方またはいずれかが足りない場合に、前記給紙残量または前記巻き取り可能容量の両方またはいずれかが足りないことを警告する警告画面を前記表示部に表示することを特徴とする（４）に記載の画像形成システム。
【００１７】
（６）前記給紙残量または巻き取り可能容量の両方またはいずれかが足りない場合に、前記給紙残量および前記巻き取り可能容量の両方を満たすことのできるジョブの候補を示す候補画面を表示することを特徴とする（５）に記載の画像形成システム。
【発明の効果】
【００１８】
本発明によれば、連続紙を使用した画像形成において、予約された複数のジョブのうち１つのジョブが終わると一時停止することとした。これにより、１つのジョブが終了するごとに巻き取りを交換することが可能になる。また、一時停止後は、次のジョブを印刷するか否かをユーザーに問い合わせることとしたので、１つの巻き取りにユーザーが認識することなく複数のジョブが巻き取られることがなくなる。また、１つのジョブ（特に最後のジョブ）が複数の巻き取りを跨ぐようになることも防止することができる。
【図面の簡単な説明】
【００１９】
【図１】本発明を適用した実施形態の画像形成システムの構成を示す概略図である。
【図２】画像形成装置を含む画像形成システムの電気的な構成を示すブロック図である。
【図３】画像形成装置の印刷の処理手順を示すフローチャートである。
【図４】図３に続く画像形成装置の印刷の処理手順を示すフローチャートである。
【図５】継続印刷の確認画面例を示す図である。
【図６】給紙側のロールおよび／または巻き取り側のロール交換を促す画面例を示す図である。
【図７】警告表示の画面例を示す図である。
【図８】他のジョブを選択するための候補画面例を示す図である。
【発明を実施するための形態】
【００２０】
以下、図面を参照して本発明の実施形態を説明する。なお、図面において同一の機能を有する要素には同一の符号を付し、重複する説明を省略する。また、図面はあくまでも本発明の実施形態を説明するためのものであるので、各部材の寸法や比率は説明の都合上誇張または簡略化しており、実際の寸法や比率とは異なる。
【００２１】
図１は、本発明を適用した実施形態の画像形成システムの構成を示す概略図である。
【００２２】
画像形成システム１０は、画像形成装置１００を備える。画像形成装置１００の用紙搬送方向上流側には給紙調整部３００、さらにその上流側に給紙部２００が接続されている。一方、画像形成装置１００の下流側にカット部４００が接続され、さらにその下流側に巻き取り部５００が接続されている。
【００２３】
給紙部２００は、連続紙としてのロール紙を収納、保持し、画像形成装置１００方向（下流側）に給紙する。
【００２４】
給紙調整部３００は、給紙部２００と画像形成装置１００と間の微小な用紙搬送速度の差および用紙の寄りを吸収するためのバッファ機能を有する。
【００２５】
巻き取り部５００は、画像形成装置１００によって印刷された連続紙を巻き取り、収納する。
【００２６】
カット部４００は、所望により連続紙をカットする場合に使用する。また、カット部４００は、画像形成装置１００と巻き取り部５００との間の微小な用紙搬送速度の差および用紙の寄りを吸収するためのバッファ機能を有する。
【００２７】
画像形成装置１００は、用紙に画像を形成する画像形成部１３を本体内に有している。画像形成部１３は、周知の電子写真式プロセスによるカラー印刷装置である。電子写真方式のカラー印刷装置は周知のものであるので説明は省略する。
【００２８】
給紙部２００から搬送出力された連続紙Ｓは、給紙調整部３００を経て画像形成部１３に至る。そして画像形成部１３により印刷が行われ、カット部４００を経て巻き取り部５００により巻き取られる。この連続紙Ｓの搬送経路には複数の搬送用ローラーが設けられている。通常、印刷動作中に連続紙Ｓの流れが止まることはない。
【００２９】
そして、搬送用ローラーの一部がロール紙の給紙量および巻き取り量を計測するために用いられている。給紙量を計測するためには給紙部２００の出口部分（ここでは給紙調整部３００の入口部分）に設けられたローラー２１０を用いている。ローラー２１０は給紙量センサーとなる。巻き取り量を計測するためには巻き取り部５００の入口部分（ここではカット部４００の出口部分）に設けられたローラー５１０を用いている。ローラー５１０は巻き取り量センサーとなる。
【００３０】
これらローラーの回転数を計測することで、ロール紙の走行距離がわかる。ローラーの回転数×ローラーの直径×π＝ロール紙の走行距離、である。
【００３１】
ローラー２１０の回転数からロール紙の給紙量がわかるので、給紙部２００にセットしたロール紙の長さから給紙量を引くことで給紙部２００にあるロール紙の残量（給紙残量）がわかる。
【００３２】
同様に、ローラー５１０の回転数から巻き取り量がわかるので、巻き取り部５００の巻き取り容量から巻き取り量を引けば、あとどれだけ巻くことができるかを示す巻き取り可能容量がわかる。
【００３３】
なお、給紙量センサーおよび巻き取り量センサーとしてローラーを用いる場合、本実施形態のように、給紙側と巻き取り側にそれぞれローラーを備えるものに限定されない。たとえば、画像形成装置内部のローラー１つでロール紙の走行距離を計測することでも可能である。得られた走行距離（ロール紙交換によりリセットする）を元のロール紙の全長から引けばロール紙残量となり、走行距離を巻き取り部の容量から引けば巻き取り可能容量となる。
【００３４】
また、給紙量センサーおよび巻き取り量センサーとしては、ローラーを用いたものに限定されない。たとえば、現在巻かれているロール紙の重量を測定する方法、光学センサーでロール紙が巻かれている厚さを測定する方法など様々な方法があるので、どのような方法であってもよい。ただし、後述する通り、ロール紙の残量および巻き取り量は、１つのジョブが１巻きに入るか否かの判断に使用するため、できるだけ正確な方が好ましい。
【００３５】
画像形成装置１００上には、原稿を自動的に読み込む自動原稿給送装置を備えたスキャナー部１３０を有する。スキャナー部１３０によって原稿の画像が読み取られ、一旦、画像メモリー（後述）などに記録される。読み取られた画像は、画像形成部１３による画像の形成に用いられてもよい。
【００３６】
画像形成装置１００の上部には操作表示部１４０（表示部となる）を有している。操作表示部１４０は、操作者の操作を受けるとともに、情報を表示する。このため操作表示部１４０はたとえばタッチパネルなどのように操作部分と表示部分とが一体に構成されているもの、ボタンやキーなどのハードキーと液晶表示装置などのような構成など、どのような構成であってもよい。また、操作表示部１４０は、図示するように画像形成装置１００の筺体に設置されているものの他、画像形成装置１００の筺体から分離しているものであってもよい。
【００３７】
図２は、画像形成装置１００を含む画像形成システム１０の電気的な構成を示すブロック図である。以下に説明する。
【００３８】
画像形成装置１００は、主要な構成として、制御ブロック部１１０とスキャナー部１３０と操作表示部１４０とプリンター部１５０とを有するコピア本体と、ＬＡＮを通して外部機器（たとえば端末（ＰＣ）２）と接続される画像処理部（プリント＆スキャナーコントローラ）１６０とを備えている。画像処理部１６０は、外部端末との間で入出力される画像データを処理する。
【００３９】
制御ブロック部１１０はＰＣＩバス１１２を有している。ＰＣＩバス１１２は制御ブロック部１１０内でＤＲＡＭ制御ＩＣ１１１に接続されている。制御ブロック部１１０には、制御ＣＰＵ１１３を備えており、制御ＣＰＵ１１３にＤＲＡＭ制御ＩＣ１１１が接続されている。制御ＣＰＵ１１３には、不揮発メモリー１１５が接続されている。不揮発メモリー１１５には、制御ＣＰＵ１１３を動作させるためのプログラムや画像形成システム１０の設定データ、プロセス制御パラメーター等が記憶されている。本実施形態における後述する印刷処理手順に基づくプログラムもここに記憶されている。各種設定データは、操作表示部１４０を通してユーザーが設定、変更などを行える。
【００４０】
制御ＣＰＵ１１３は、画像形成システム１０の全体を制御し、また画像形成装置全体の状態把握を行うものである。制御ＣＰＵ１１３は本実施形態における印刷の制御も、後述する印刷処理手順に基づくプログラムを実行することにより行っている。制御ＣＰＵ１１３は供給部２００を介してローラー２１０の回転数、巻き取り部５００を介してローラー５１０の回転数もそれぞれ崇徳していて、それぞれの回転数からロール紙残量、巻き取り量を算出する。
【００４１】
制御ＣＰＵ１１３には、ＲＴＣ（日時データ発生装置）１１４が接続されており、稼働時間や、使用開始後の経過時間などの測定を行うことができ、測定結果は制御ＣＰＵ１１３に送信されて装置の制御などに使用することができる。
【００４２】
なお、制御ブロック部１１０は、画像形成装置１００内に設置されるものに限定されず、画像形成装置１００外に設置されるものであってもよい。たとえば画像形成装置１００とネットワークで接続されたプリントサーバーなどに備えられて画像形成装置や画像形成システムなどを制御するものであってもよい。
【００４３】
スキャナー部１３０は、光学読み取りを行うイメージセンサー１３１（たとえばＣＣＤイメージセンサー）と、スキャナー部１３０全体の制御を行うスキャナー制御部１３２とを備えている。スキャナー制御部１３２は、制御ＣＰＵ１１３とシリアル通信により接続されており、制御ＣＰＵ１１３による制御を受ける。なお、スキャナー制御部１３２は、ＣＰＵやこれを動作させるプログラムなどによって構成することができる。イメージセンサー１３１で読み取った画像データは、読み取り処理部１１６で処理される。
【００４４】
操作表示部１４０は、タッチパネル式の液晶表示装置（ＬＣＤ）１４１と、操作部制御部１４２とを備えている。液晶表示装置１４１と操作部制御部１４２とが接続され、操作部制御部１４２と前記制御ＣＰＵ１１３とがシリアル通信により接続されている。操作表示部１４０は制御ＣＰＵ１１３によって制御される。操作部制御部１４２は、ＣＰＵやこれを動作させるプログラムなどによって構成することができる。操作表示部１４０では、画像形成装置における設定や動作指令などの動作制御条件の入力が可能となっており、さらに設定内容、機械状態、情報の表示等が可能になっている。また、操作表示部１４０は本実施形態においては、印刷でのユーザーからの入力を受け付けることになる。操作表示部１４０は制御ＣＰＵ１１３により制御される。
【００４５】
また、ＤＲＡＭ制御ＩＣ１１１は、圧縮メモリー１２１とページメモリー１２２とからなる画像メモリー１２０に接続されている。画像メモリー１２０には、スキャナー部１３０で取得した画像データやＬＡＮ３を通して取得した画像データが格納される。画像メモリー１２０は、画像データの記憶領域であり、印刷するジョブ（印刷ジョブのことである。本実施形態では単にジョブと称する）の画像データを格納する。また、ＤＲＡＭ制御ＩＣ１１１によって複数のジョブに関する画像データを画像メモリー１２０に記憶させることができる。画像メモリー１２０には予約された複数のジョブの画像データの格納も可能である。
【００４６】
ＤＲＡＭ制御ＩＣ１１１には、画像データを圧縮または伸長する圧縮／伸長ＩＣ１１７が接続されている。ＤＲＡＭ制御ＩＣ１１１には読み取り処理部１１６および書き込み処理部１２３が接続されている。また、プリンター部１５０は、プリンター部１５０の全体を制御するプリンター制御部１５１を備えている。プリンター制御部１５１は、制御ＣＰＵ１１３に接続されて制御を受ける。すなわち、制御ＣＰＵ１１３から与えられるパラメーターに従い、プリント動作の開始／停止を行う。プリンター部１５０には、画像形成部１３が含まれており、制御ＣＰＵ１１３によって制御される。
【００４７】
また、制御ＣＰＵ１１３には、外部装置である給紙部２００、給紙調整部３００、カット部４００、巻き取り部５００におけるそれぞれの外部装置制御部２００Ａ、３００、４００Ａ、５００Ａがシリアル通信により接続されている。これら外部装置は制御ＣＰＵ１１３の指令に基づいて外部装置制御部２００Ａ、３００Ａ、４００Ａ、５００Ａによって制御される。
【００４８】
また、前記ＤＲＡＭ制御ＩＣ１１１に接続された前記ＰＣＩバス１１２には、前記した画像処理部１６０のＤＲＡＭ制御ＩＣ１６１が接続されている。画像処理部１６０では、ＤＲＡＭ制御ＩＣ１６１に画像メモリー１６２が接続されている。画像メモリー１６２にはＤＲＡＭが使用されている。また、画像処理部１６０では、ＤＲＡＭ制御ＩＣ１６１にコントローラ制御部１６３が接続されており、ＤＲＡＭ制御ＩＣ１６１に、ＬＡＮ制御部１６４、ＬＡＮインターフェース（ＩＦ）１６５が接続されている。ＬＡＮインターフェース１６５は、ＬＡＮ３に接続されている。
【００４９】
次に、上述のように構成された画像形成システムの基本的動作について説明する。
【００５０】
まず、画像形成システム１０において画像データを蓄積する動作を説明する。
【００５１】
画像形成装置１００に備えられたスキャナー部１３０で原稿の画像を読み取り、画像データを生成する場合、スキャナー部１３０において原稿からイメージセンサー１３１により原稿の画像を光学的に読み取る。この際には、制御ＣＰＵ１１３から指令を受けるスキャナー制御部１３２によってイメージセンサー１３１の動作制御を行う。イメージセンサー１３１で読み取られた画像は、読み取り処理部１１６でデータ処理がなされ、データ処理された画像データは、圧縮／伸長ＩＣ１１７において所定の方法によって圧縮され、ＤＲＡＭ制御ＩＣ１１１を介して圧縮メモリー１２１に格納される。また、印刷データをＨＤＤ１１９に格納する場合、圧縮された印刷データをＤＲＡＭ制御ＩＣ１１１およびコントローラＩＣ１１８を介して転送し、ＨＤＤ１１９に格納する。
【００５２】
圧縮メモリー１２１やＨＤＤ１１９に格納された印刷データは、制御ＣＰＵ１１３によってジョブとして管理することができる。画像メモリー１２０およびＨＤＤ１１９は、画像データを保存する記憶部となる。
【００５３】
画像データを外部から取得する場合、たとえば、端末２からＬＡＮ３を通して送信される画像データは、ＬＡＮインターフェース１６５、ＬＡＮ制御部１６４を介してＤＲＡＭ制御ＩＣ１６１により画像メモリー１６２に格納される。
【００５４】
画像メモリー１６２の印刷データは、ＤＲＡＭ制御ＩＣ１６１、ＰＣＩバス１１２、ＤＲＡＭ制御ＩＣ１１１を介してページメモリー１２２に一旦格納される。印刷データがページ記述データである場合、コントローラ制御部１６３によってＲＩＰ処理により印刷データをラスターイメージとすることができる。
【００５５】
ページメモリー１２２に格納された印刷データは、ＤＲＡＭ制御ＩＣ１１１を介して圧縮／伸長ＩＣ１１７に順次送られて圧縮処理され、ＤＲＡＭ制御ＩＣ１１１を介して圧縮メモリー１２１に格納される。また、ＨＤＤ１１９に格納する場合、ＤＲＡＭ制御ＩＣ１１１、コントローラＩＣ１１８を介してＨＤＤ１１９に格納する。これら印刷データは、上記と同様に制御ＣＰＵ１１３によって管理される。画像メモリー１２０およびＨＤＤ１１９は、画像データを保存する記憶部となる。
【００５６】
画像形成システム１０で画像出力を行う場合、すなわち複写機やプリンターとして使用する場合、圧縮メモリー１２１に格納された印刷データを用いる場合は圧縮メモリー１２１の印刷データをＤＲＡＭ制御ＩＣ１１１を介して圧縮／伸長ＩＣ１１７に送出してデータを伸長する。ＨＤＤ１１９に格納された印刷データを用いる場合は、ＨＤＤ１１９の印刷データをコントローラＩＣ１１８、ＤＲＡＭ制御ＩＣ１１１を介して圧縮／伸長ＩＣ１１７に送出してデータを伸長する。伸長した画像データを書き込み処理部１２３に送出し、印刷データに関連付けた印刷条件に従ってプリンター部１５０へ送る。
【００５７】
また、プリンター部１５０では、制御ＣＰＵ１１３の指令を受けたプリンター制御部１５１が画像形成部１３を制御して電子写真プロセスによる画像形成を実行する。画像形成と同時に制御ＣＰＵ１１３からの指令を受けた外部装置制御部２００Ａ、３００Ａ、４００Ａ、５００Ａによって各部が制御されて連続紙の搬送が行われる。
【００５８】
画像形成がなされた連続紙Ｓは、カット部４００を経て巻き取り装置５００で連続状（ロール紙においてはロール状に）に巻き取られる。
【００５９】
画像形成部１３では、連続紙Ｓに複数ページで画像を形成する場合、所定の画像間隔を基準にして各ページの画像を形成する。所定の画像間隔は、ジョブごとにまたは操作者が任意に設定可能であるが、規定値として不揮発メモリー１１５などに記憶しておく。各ページの画像間隔の規定値としては、ヤレになるためできるだけ小さく（たとえば１ｍｍに）設定している。
【００６０】
次に、本実施形態の制御の手順を説明する。図３および図４は、画像形成システムによる印刷の処理手順を示すフローチャートである。
【００６１】
以下で説明する処理手順の各ステップは主に制御ＣＰＵ１１３の処理によって実行される。
【００６２】
まず、制御ＣＰＵ１１３は、画像形成装置において現在印刷中のジョブがあるか否かを確認する（Ｓ１０１）。印刷中のジョブがあればそのことを記憶しておく。印刷中のジョブがなければ何もしないでそのまま次に進む。
【００６３】
続いて制御ＣＰＵ１１３は、予約されているジョブがあるか否かを判断する（Ｓ１０２）。予約されているか否かはジョブリストを検索して判断する。ジョブリストは不揮発メモリー１１５に記憶される。たとえば端末２０から印刷するジョブを受け取ってジョブリストを作成または既にあるジョブリストに追加する。また、スキャナーにより読み取られた画像があれば、ジョブリストを作成または既にあるジョブリストに追加する。
【００６４】
Ｓ１０２において、予約されているジョブがなければ（Ｓ１０２：ＮＯ）、処理を終了する。
【００６５】
一方、Ｓ１０２において、予約されているジョブがあれば（Ｓ１０２：ＹＥＳ）、制御ＣＰＵ１１３は、印刷中のジョブ終了時点で印刷動作を一時停止させる（Ｓ１０３）。つまり、予約されている次のジョブの印刷動作に入らないのである。印刷中のジョブとは、Ｓ１０１で確認したジョブである。なお、印刷中のジョブがなければ画像形成システム自体止まった状態であるので、そのまま予約ジョブが入った段階で印刷を実行せずに停止することになる。
【００６６】
続いて制御ＣＰＵ１１３は、巻き取り可能容量をチェックする（Ｓ１０４）。巻き取り可能容量とはあとどれだけ巻き取れるかの量である。巻き取り可能容量はローラー５１０によって得られた巻き取り量を、元々の巻き取り部５００の容量から引くことで求める。巻き取り部５００の容量は、巻き取るロール紙の厚さによって異なる。したがって、あらかじめ巻き取るロール紙の厚さごとに容量を決めておく必要がある。巻き取り部５００の容量は、通常供給部２００にセットされるロール紙の量と同じである。そうしなければ供給部２００にセットされたロール紙を巻き取り部５００で巻き取れなくなるからである。そこで巻き取り部５００の容量は、そのとき供給部２００にセットされているロール紙の量（全長）と同じとしてもよい。
【００６７】
続いて制御ＣＰＵ１１３は、巻き取りの可否と、継続印刷することで複数のジョブが１巻に巻き取られてしまってもよいかどうかをユーザーに確認してもらうための画面を表示する（Ｓ１０５）。
【００６８】
図５は、継続印刷の確認画面例を示す図である。
【００６９】
継続印刷の確認画面は、たとえば図５に示すように、印刷設定画面２００などのうえにポップアップ画面２０１として表示する。このポップアップ画面２０１は、一時停止中に表示する。ポップアップ画面２０１は、予約されているジョブを継続印刷するかを確認するメッセージと、次のジョブが巻き取り可能か否かを表示する。予約されているジョブを継続して印刷するか否かを確認のための「はい」、「いいえ」のボタンを表示する。
【００７０】
次のジョブが巻き取り可能か否かは、Ｓ１０４での巻き取り可能容量のチェック結果と次のジョブの印刷長さから求める。
【００７１】
ジョブの印刷長さは下記（１）式により求めることができる。
【００７２】
ジョブの印刷長さ＝（原稿サイズ＋原稿間隔）×（ページ数×部数）    …（１）
式中、原稿サイズはロール紙の走行方向の長さである。原稿間隔はロール紙の走行方向のページとページの間の長さである。
【００７３】
したがって、ジョブの印刷長さが巻き取り可能容量以下であれば、次のジョブの印刷を巻き取ることが可能ということになる。巻き取ることが可能な場合はその旨を表示する。図５は、「次のジョブは巻き取り可能です」と表示することで、巻き取ることが可能な場合を示している。一方、巻き取ることが可能ではない場合はその旨を表示する。たとえば「次のジョブは巻き取り不可能です」などと表示すればよい。
【００７４】
続いて、制御ＣＰＵ１１３は、Ｓ１０５で表示された画面において継続印刷の指示が入力されたか否かを判断する（Ｓ１０６）。図５の画面から「いいえ」が入力されたなら（Ｓ１０６：ＮＯ）、すなわち継続印刷しない指示があれば、一時停止を継続して（Ｓ１０７）、給紙側のロールおよび／または巻き取り側のロール交換を促す画面を表示する。
【００７５】
図６は、給紙側のロールおよび／または巻き取り側のロール交換を促す画面例を示す図である。給紙側のロールおよび／または巻き取り側のロール交換を促す画面は、たとえば図６に示すように、一時停止中がそのまま継続されるので、印刷設定画面２００中に表示されていたポップアップ画面（図５参照）が消えて、給紙側のロールおよび／または排紙側のロール交換を促すメッセージがわかるようにする。図６に示した画面例では「必要に応じて給紙と巻き取りのロールを交換してください」と表示している。もちろん、別途給紙側のロールおよび／または排紙側のロール交換を促す専用の画面を表示してもよい。Ｓ１０７の後、処理を終了する。処理終了後は新たなジョブの投入があればＳ１０１からのスタートとなる。
【００７６】
一方、Ｓ１０６において、図５の画面から「はい」が入力されたなら（Ｓ１０６：ＹＥＳ）、すなわち継続印刷する指示があれば、給紙部２００のロール紙残量をチェックする（Ｓ１０７）。給紙部２００のロール紙残量のチェックは、ローラー２１０により得られたロール紙の走行距離を、給紙部２００にセットされているロール紙の元々の長さから引けばよい。
【００７７】
給紙部２００のロール紙残量および巻き取り部５００の巻き取り可能容量が、ともに予約されている次のジョブの印刷に足りていれば（Ｓ１０８：ＹＥＳ）、制御ＣＰＵ１１３は、そのまま予約されている次のジョブの印刷を実行する（Ｓ１０９）。その後処理を終了する。ロール紙残量が足りているか否かは、Ｓ１０７でチェックしたロール紙残量からジョブの印刷長さを引くことで、ロール紙残量が足りていれば給紙可能ということになる。また、巻き取り可能容量が足りているかは、巻き取り可能容量からジョブの印刷長さを引くことで、巻き取り可能容量が足りていれば巻き取り可能ということになる。
【００７８】
一方、給紙部２００のロール紙残量および巻き取り部５００の巻き取り可能容量のうち、いずれかがジョブの印刷に足りなければ（Ｓ１０８：ＮＯ）、制御ＣＰＵ１１３は、給紙と巻き取りの両方のロールの状況に応じて警告表示を行う（Ｓ１２１）。
【００７９】
図７は、警告表示の画面例を示す図である。
【００８０】
ここでは、ポップアップ画面２０２により巻き取り部５００が巻き取れないことの警告を表示している。そして、予約されているジョブを中止するための「中止」ボタン、継続するための「継続」ボタンしている。そして他ジョブを選択、印刷させるための「他ジョブ印刷」ボタンが表示される。
【００８１】
警告画面から中止ボタンが押されて中止が入力されたなら（Ｓ１２２：ＹＥＳ）、制御ＣＰＵ１１３は印刷動作を停止して（Ｓ１２８）、処理を終了する。
【００８２】
警告画面から継続ボタンが押されて継続が入力されたなら（Ｓ１２２：ＮＯ、Ｓ１２３：ＹＥＳ）、ユーザーは警告を了解したうえで継続する指示を入力したということである。この場合、制御ＣＰＵ１１３は予約されているジョブの中から次のジョブをそのまま印刷を実行する（Ｓ１０９）。その後、処理を終了する。
【００８３】
警告画面から他ジョブ印刷ボタンが押されて他ジョブ印刷が入力されたなら（Ｓ１２２：ＮＯ、Ｓ１２３：ＮＯ、Ｓ１２４：ＹＥＳ）、制御ＣＰＵ１１３は予約されているジョブの中から他のジョブを選択するための画面を表示する（Ｓ１２５）。
【００８４】
図８は、他のジョブを選択するための候補画面例を示す図である。図示するように、複数のジョブがリストアップされたポップアップ画面２０３を表示するとともに、ジョブを選んで印刷できることのメッセージを表示している。
【００８５】
複数のジョブをリストアップ際の表示としては、たとえば、予約されている全てのジョブを表示、決まった個数表示、探索して早く見つかったもの１つのみを表示、給紙と巻き取り両方の条件を満たすジョブを優先表示などのいずれかで表示するとよい。特に、給紙と巻き取り両方の条件を満たすジョブを優先表示すれば、次のジョブが給紙または巻き取りのいずれかが満たさない場合にその代替ジョブとして印刷可能なジョブがユーザーにわかり易くなる。各ジョブがロール紙残量および巻き取り可能容量を満たすか否かは、既に説明した次ジョブの場合と同様に、各ジョブの印刷長さとロール紙残量および巻き取り可能容量から算出すればよい。
【００８６】
図８の画面は、図７の画面において「他ジョブ印刷」ボタンが押されることで表示されるポップアップ画面２０３である。なお、このような他のジョブの表示は前述した図６内で表示させてそのまま印刷できるようにしてもよい。
【００８７】
続いて制御ＣＰＵ１１３は、図８のリストからジョブが選択されるのを待って（Ｓ１２６：ＮＯ）、選択されたなら（Ｓ１２６：ＹＥＳ）、選択されたジョブの印刷を実行して（Ｓ１２７）、処理を終了する。
【００８８】
なおＳ１２４で入力がなければ（Ｓ１２４：ＮＯ）、Ｓ１２２へ戻り、「中止」、「継続」、「他ジョブ印刷」のいずれかの入力があるまで待つことになる。
【００８９】
ここでさらに警告画面の表示例を紹介する。表１に、給紙残量、巻き取り余裕の有無に応じた警告画面の表示例を示す。巻き取り余裕は、巻き取り可能容量がジョブ印刷長さに足りている場合を余裕あり、足りない場合を余裕なしとする。
【００９０】
【表１】
0006451329.tif 000002
【００９１】
表１に示すように、給紙残量および巻き取り余裕の有無に応じて、それらの状況に対応したメッセージおよび画面を表示すればよい。画面は、ポップアップ画面としてもよいし、警告専用やジョブ候補専用の画面としてもよい。
【００９２】
以上のように本実施形態によれば以下の効果を奏する。
【００９３】
本実施形態では、印刷中のジョブが終了したなら、予約されているジョブがあっても一時停止する。この段階で予約ジョブの継続を選択しなければ基本的に１ジョブの印刷出力にすることができる。そして印刷後の巻き取られたロールをユーザーが交換することで、１ジョブ１ロールにすることができる。
【００９４】
また、一時停止後にユーザーから継続の指示があった場合には、複数のジョブが巻き込まれてしまうことを再度警告して、中止するか、継続するかを選択させるようにしている。このため継続する場合でも、ユーザーが認識せずに不用意に複数のジョブが１巻きに巻き取られてしまうことがない。また複数のジョブが１巻きに巻き取られる場合でも、その旨を表示するとともに、巻き取り可能か、また給紙可能かを確認することとしているので、予約されているジョブを継続して印刷する場合にジョブの途中で巻き取りがいっぱいになったり、給紙がなくなったりすることを防ぐことができる。
【００９５】
さらに予約されているジョブを継続する場合には、給紙残量があり、巻き取り可能なジョブの候補を表示することとしたので、複数のジョブを１巻きにしたい場合に対応することができる。
【００９６】
このような複数のジョブに対して、継続か、中止かをユーザーに入力してもらうことは予約されている複数のジョブのそれぞれ（またはいくつか）が異なるユーザーからの印刷要求である場合に特に有効である。異なるユーザーの場合は、１ロールに巻き取られることを防止するために予約ジョブの継続を中止すればよい。一方、複数のジョブが同じユーザーからの場合は継続することで１ロールに複数のジョブを巻き取ることができる。
【００９７】
以上本発明を適用した実施形態を説明したが、本発明は上述した実施形態に限定されるものではない。たとえば、連続紙としてロール紙を使用しているが、連続紙がロール紙に限定されるものではなく、用紙が連続しているものであればよい。たとえば、連続伝票用紙、連続帳票用紙などであっても実施可能である。これら連続紙はロール紙の形態で提供されるものでもよく、また、交互に畳まれた形態のものであってもよい。また、連続紙は、材質が紙に限定されず、布などの媒体を用いるものであってもよい。また連続紙は紙に接着剤を塗布したラベルを剥離紙に貼り合わせたラベル紙であってもよい。ラベル紙を用いる場合は、カット部によりラベルを画像に対応した大きさで切り抜くようにしてもよい。
【００９８】
また、本実施形態では、各段階で必要なメッセージや警告の画面例（図５〜８）を示したが、もちろんこれらの画面例に限定されるものではなく、それぞれの段階で必要な内容が表示されるものであればどのような画面であっても差し支えない。
【００９９】
そのほか、本発明の範囲は、特許請求の範囲に記載された構成によって判断されるものであって、様々な変形形態もまた本発明の範疇である。
【符号の説明】
【０１００】
１０  画像形成システム、
１００  画像形成装置、
１４０  操作表示部（表示部）、
２００  給紙部、
２１０  ローラー（給紙量センサー）
３００  給紙調整部、
４００  カット部、
５００  巻き取り部、
５１０  ローラー（巻き取り量センサー）。
【図１】
0006451329.tif 000003
【図２】
0006451329.tif 000004
【図３】
0006451329.tif 000005
【図４】
0006451329.tif 000006
【図５】
0006451329.tif 000007
【図６】
0006451329.tif 000008
【図７】
0006451329.tif 000009
【図８】
0006451329.tif 000010